(57)【要約】  装置は、植込み型ハウジングと、植込み型ハウジングに装着されかつコネクターブロックキャビティを有するヘッダと、コネクターブロックキャビティ内に位置するコネクターブロックと、を備える。コネクターブロックは、プラスチックハウジング部と、コイルばねと、コイルばねに接続されかつプラスチックハウジング部の外部に露出した金属終端部材と、を備える。
2016508829.tif 000002
【特許請求の範囲】
【請求項１】
植込み型ハウジングと、
前記植込み型ハウジングに装着され、かつ、コネクターブロックキャビティを有するヘッダと、
前記コネクターブロックキャビティ内に位置するコネクターブロックであって、プラスチックハウジング部、コイルばね、および前記コイルばねに接続され、かつ、前記プラスチックハウジング部の外部に露出した金属終端部材を備えるコネクターブロックと、
を備える、装置。
【請求項２】
前記金属終端部材は前記コイルばねのまわりを円周状に囲んでいない、請求項１に記載の装置。
【請求項３】
前記コネクターブロックキャビティは、前記コネクターブロックが前記ヘッダに側面装着されるように、前記ヘッダの側面において開放している、請求項１または２に記載の装置。
【請求項４】
前記プラスチックハウジング部は、前記コイルばねの少なくとも一部を受容するように構成された受け部を備える、請求項１乃至３のいずれか１項に記載の装置。
【請求項５】
前記プラスチックハウジング部は、コネクターブロックキャビティ内においてヘッダに一体化されている、請求項１乃至４のいずれか１項に記載の装置。
【請求項６】
前記プラスチックハウジング部は、前記コネクターブロックキャビティ内に装着された別個のプラスチックハウジング本体を備える、請求項１乃至４のいずれか１項に記載の装置。
【請求項７】
前記金属終端部材は平坦なリボンコネクターを備える、請求項１乃至４および６のいずれか１項に記載の装置。
【請求項８】
前記金属終端部材は、前記コイルばねを受容するように構成された少なくとも一部を含む金属ブロックを備える、請求項１乃至６のうちのいずれか１項に記載の装置。
【請求項９】
前記プラスチックハウジング部は平坦な平面状の外面を備え、前記平坦なコネクターリボンは前記平坦な平面状の外面に対して同一平面上に存在する、請求項１乃至４および６乃至８のいずれか１項に記載の装置。
【請求項１０】
前記プラスチックハウジング部は非平面状の外面を備える、請求項１乃至４および６乃至８のいずれか１項に記載の装置。
【請求項１１】
前記金属終端部材は、前記コネクターブロックから離反して延び、フィードスルーに直接接続された平坦なリボンコネクターを備える、請求項１乃至４および６乃至８のいずれか１項に記載の装置。
【請求項１２】
前記ヘッダはエポキシ樹脂でオーバーモールドされたヘッダコアを含む、請求項１乃至１１のいずれか１項に記載の装置。
【請求項１３】
植込み型ハウジングと、
前記植込み型ハウジングに装着され、かつ、コネクターブロックキャビティを有するプラスチックヘッダコアを備えたヘッダと、
前記コネクターブロックキャビティ内に位置するコネクターブロックであって、ばねを保持するプラスチックハウジング部、および前記ばねに接続され、かつ、前記プラスチックハウジング部の外部に露出した金属終端部材を備えるコネクターブロックと、
を備え、
前記ヘッダコアは、前記コネクターブロックおよびヘッダコアを包封するために、エポキシ樹脂によってオーバーモールドされている、装置。
【請求項１４】
前記金属終端部材は前記ばねのまわりを円周状に囲んでいない、請求項１３に記載の装置。
【請求項１５】
前記プラスチックハウジング部は、前記ばねの少なくとも一部を受容するように構成された受け部を備える、請求項１３または１４に記載の装置。
【請求項１６】
前記プラスチックハウジング部は前記コネクターブロックキャビティ内においてヘッダに一体化されている、請求項１３乃至１５のいずれか１項に記載の装置。
【請求項１７】
前記プラスチックハウジング部は、前記コネクターブロックキャビティ内に装着された別個のプラスチックハウジング本体を備える、請求項１３乃至１５のいずれか１項に記載の装置。
【請求項１８】
プラスチックコネクターブロックハウジング部をヘッダのコネクターブロックキャビティ内に配置することと、
前記コネクターブロックハウジング部にコイルばねを配置することと、
前記コイルばねに金属終端部材を接続し、前記金属終端部材をプラスチックハウジング部の外部に露出させるように配置することと、を含む、方法。
【請求項１９】
前記金属終端部材は前記コイルばねのまわりを円周状に囲んでいない、請求項１８に記載の方法。
【請求項２０】
前記ヘッダをエポキシ樹脂でオーバーモールドすることをさらに含む、請求項１８または１９に記載の方法。
【発明の詳細な説明】
【技術分野】
【０００１】
本発明は、植込み型医療装置に関し、より詳細には、植込み型医療装置のヘッダ用のヘッダコアに関する。
【背景技術】
【０００２】
ペースメーカーまたは除細動器のような植込み型装置は、ハウジングと、付属ヘッダとを備える。付属ヘッダは、植込み型リードの端子端部を受容するために１つ以上のポートを備える。ヘッダは、リード上の端子接点と電気的に導通する接点を有するコネクターブロックを備える。コネクターブロック接点は、ハウジング内の電子装置と接触するフィードスルーに電気的に接続されている。（特許文献１）は、植込み型装置用ヘッダ接点について検討している。
【先行技術文献】
【特許文献】
【０００３】
【特許文献１】米国特許番号第５，０７６，２７０号明細書
【発明の概要】
【発明が解決しようとする課題】
【０００４】
本発明は上記の従来例に鑑みてなされたものである。
【課題を解決するための手段】
【０００５】
実施例１は、植込み型ハウジングと、植込み型ハウジングに装着され、かつ、コネクターブロックキャビティを有するヘッダと、コネクターブロックキャビティ内に位置するコネクターブロックであって、プラスチックハウジング部、およびコイルばね、コイルばねに接続され、かつ、プラスチックハウジング部の外部に露出した金属終端部材（ｍｅｔａｌｌｉｃ  ｔｅｒｍｉｎａｔｉｏｎ  ｍｅｍｂｅｒ）を備えるコネクターブロックと、を備える装置を含む主題を包含する。
【０００６】
実施例２において、請求項１の主題は、任意で、金属終端部材が、コイルばねのまわりを円周状に囲んでいない（ｎｏｎ−ｃｉｒｃｕｍｆｅｒｅｎｔｉａｌ）ことを含む。
実施例３において、実施例１または２のうちのいずれかの主題は、任意で、コネクターブロックキャビティが、コネクターブロックがヘッダに側面装着される（ｓｉｄｅ−ｍｏｕｎｔｅｄ）ように、ヘッダの側面において開放していることを含む。
【０００７】
実施例４において、実施例１乃至３のうちのいずれかの主題は、任意で、プラスチックハウジング部が、コイルばねの少なくとも一部を受容するように構成された受け部を備えることを含む。
【０００８】
実施例５において、実施例１乃至４のうちのいずれかの主題は、任意で、プラスチックハウジング部が、コネクターブロックキャビティ内においてヘッダに一体化されていることを含む。
【０００９】
実施例６において、実施例１乃至４のうちのいずれかの主題は、任意で、プラスチックハウジング部が、コネクターブロックキャビティ内に装着された別個のプラスチックハウジング本体を備えることを含む。
【００１０】
実施例７において、実施例１乃至４および６のうちのいずれかの主題は、任意で、金属終端部材が平坦なリボンコネクターを備えることを含む。
実施例８において、実施例１乃至６のうちのいずれかの主題は、任意で、金属終端部材が、傾斜コイルばねを受容するように構成された少なくとも一部を含む金属ブロックを備えることを含む。
【００１１】
実施例９において、実施例１乃至４および６乃至８のうちのいずれかの主題は、任意で、プラスチックハウジング部が、平坦な平面状の外面を備え、平坦なコネクターリボンが、平坦な平面状の外面に対して同一平面上に存在することを含む。
【００１２】
実施例１０において、実施例１乃至４および６乃至８のうちのいずれかの主題は、任意で、プラスチックハウジング部が非平面状の外面を備えることを含む。
実施例１１において、実施例１乃至４および６乃至８のうちのいずれかの主題は、任意で、金属終端部材が、コネクターブロックから離反して延び、フィードスルーに直接接続された平坦なリボンコネクターを備えることを含む。
【００１３】
実施例１２において、実施例１乃至１１のうちのいずれかの主題は、任意で、ヘッダが、エポキシ樹脂でオーバーモールドされたヘッダコアを備えることを含む。
実施例１３は、植込み型ハウジングと、植込み型ハウジングに装着され、かつ、コネクターブロックキャビティを有するプラスチックヘッダコアを備えたヘッダと、コネクターブロックキャビティ内に位置するコネクターブロックであって、ばねを保持するプラスチックハウジング部、およびばねに接続され、かつ、プラスチックハウジング部の外部に露出した金属終端部材を備えるコネクターブロックと、を備え、ヘッダコアは、コネクターブロックおよびヘッダコアを包封するために、エポキシ樹脂によってオーバーモールドされている、装置を含む主題を包含する。
【００１４】
実施例１４において、実施例１３の主題は、任意で、金属終端部材が、ばねのまわりを円周状に囲んでいないことを含む。
実施例１５において、実施例１３乃至１４のうちのいずれかの主題は、任意で、プラスチックハウジング部が、ばねの少なくとも一部を受容するように構成された受け部を備えることを含む。
【００１５】
実施例１６において、実施例１３乃至１５のうちのいずれかの主題は、任意で、プラスチックハウジング部が、コネクターブロックキャビティ内においてヘッダに一体化されていることを含む。
【００１６】
実施例１７において、実施例１５のいずれかの主題は、任意で、プラスチックハウジング部が、コネクターブロックキャビティ内に装着された別個のプラスチックハウジング本体を備えることを含む。
【００１７】
実施例１８は、プラスチックコネクターブロックハウジング部をヘッダのコネクターブロックキャビティ内に配置することと、コネクターブロックハウジング部にコイルばねを配置することと、コイルばねに金属終端部材を接続し、金属終端部材をプラスチックハウジング部の外部に露出させるように配置することと、を含む方法を有する主題を包含する。
【００１８】
実施例１９において、実施例１８の主題は、任意で、金属終端部材が、コイルばねのまわりを円周状に囲んでいないことを含む。
実施例２０において、実施例１８または１９のうちのいずれかの主題は、任意で、ヘッダをエポキシ樹脂でオーバーモールドすることを含む。
【００１９】
これらの実施例は任意の順列または組合せで組み合わせることができる。本概要は、本特許出願の主題の概要を提供するものである。本概要は、本発明の排他的または網羅的な説明を提供するものではない。本特許出願についてのさらなる情報を提供するために詳細な説明が含まれている。
【００２０】
図面において、図面は必ずしも一定の縮尺で描かれているわけではなく、同一の数字は、異なる視野における類似した構成要素を説明し得る。異なる文字の接尾辞を有する同一の数字は、類似した構成要素の異なる例を表す。
【００２１】
図面は、概して、本文書で検討される様々な実施形態を、例として、しかし限定する目的ではなく、示している。
【図面の簡単な説明】
【００２２】
【図１】一例による植込み型医療装置を示す図。
【図２】一例による植込み型医療装置のヘッダ用のヘッダコアの斜視図。
【図３】一例によるコネクターブロックハウジングの斜視図。
【図４】一例によるコネクターブロックの斜視図。
【図５】一例による終端部材の斜視図。
【図６】一例による終端部材の斜視図。
【図７Ａ】一例によるコネクターブロックハウジングの斜視図。
【図７Ｂ】一例によるコネクターブロックハウジングの斜視図。
【図８Ａ】一例によるコネクターブロックの斜視図。
【図８Ｂ】図８Ａのコネクターブロックの側断面図。
【図９】一例によるコネクターブロックの分解斜視図。
【図１０】図９のコネクターブロックの側面図。
【図１１】一例によるフィードスルーに対するコネクターブロック接続部の側面図。
【図１２】一例による植込み型医療装置の斜視図。
【発明を実施するための形態】
【００２３】
図１は一例による植込み型医療装置１００を示している。植込み型医療装置１００は、金属ハウジング１１０と、付属ヘッダ１２０とを備える。ヘッダ１２０は、植込み型リード１３０の端子ピン１２４を受容するために１つ以上のポート１２２を備える。リード１３０は、例えば、心臓にペーシングパルス、除細動ショックエネルギー、またはカルディオバージョン治療を与えるように構成されている。植込み型医療装置１００は、患者の胸部または他の所望の位置に外科的に形成されたポケット内に植え込むことができる。植込み型医療装置１００は、概して、信号解析、処理、および制御を行う電子部品を備える。植込み型医療装置１００は、ハウジング１１０内に収容されたバッテリーのような電源、コンデンサ、および他の構成要素を備え得る。植込み型医療装置１００は、リード１３０の１つ以上の電極を通じて、細動、頻脈および徐脈を含む心不整脈に応答して、心臓に対する心室除細動、カルディオバージョンおよびペーシングために異なるエネルギーレベルおよびタイミングの電気ショックおよびパルスを決定し送達するために、処理および評価を提供するマイクロプロセッサを備え得る。
【００２４】
図２は、一例による植込み型医療装置のヘッダのためのヘッダコア２２０の斜視図を示している。ヘッダコア２２０は、例えば、成形プラスチックから形成されたコア本体２２５を備える。ヘッダコア２２０は、リードの端子ピンを受容するために、ヘッダコア本体２２５内に形成された１つ以上の孔２２２を備える。ヘッダコア２２０は１つ以上のコネクターブロックキャビティ２３０を備える。コネクターブロックキャビティ２３０はヘッダコア２２０の側面２３２において開放する。コネクターブロックキャビティ２３０は、コネクターブロック２９０をそれぞれ受容するような形状および寸法に形成される。コネクターブロック２９０は、ヘッダコア２２０の側面に位置するコネクターブロックキャビティ２３０に側面装着（ｓｉｄｅ−ｍｏｕｎｔｅｄ）される。コネクターブロック２９０は、ヘッダから植込み型装置のハウジングに延びるフィードスルーに接続される。よって、コネクターブロック２９０は、リード端子ピンを受容し、そのリード端子ピンをフィードスルーを介してハウジング内の電子装置に電気的に接続することができる。
【００２５】
図３は、一例によるコネクターブロックプラスチックハウジング部２６０の斜視図を示しており、図４は、一例によるコネクターブロック２９０の斜視図を示している。
プラスチックハウジング部２６０は、コネクターブロックキャビティ２３０（図２）内に少なくとも部分的に嵌合するような寸法に形成された別個の成形プラスチック本体２６１を備える。プラスチックハウジング部２６０は、傾斜コイルばね２８０のようなばねを内部に受容するように構成された孔２６２を備える。プラスチックハウジング部２６０はコイルばね受け部２６４、例えば、孔２６２の周囲のプラスチックハウジング部２６０の表面に形成された案内溝（ｒａｃｅ）または溝（ｇｒｏｏｖｅ）２６５を備える。他の選択肢としては、コイルばね２８０を受容し保持するために、壁または他の構造を孔２６２内に形成することができる。
【００２６】
プラスチックハウジング部２６０は、孔２６２からプラスチックハウジング部２６０の外側に延びるスロット２６６を備える。スロット２６６は、コイルばね２６２からプラスチックハウジング部２６０の外部に延びる金属終端部材２７０を保持することができる。金属終端部材２７０はステンレス鋼、ＭＰ３５Ｎ、または他の適当な金属材料から形成される。金属終端部材２７０はコイルばね２８０に接続され、スロット２６６を通って延び、プラスチックハウジング部２６０の露出した外面２６３と同一平面上に位置するように形成される。プラスチックハウジング部２６０は平坦な平面状の外面２６３を備える。平坦な平面状の外面２６３は、金属終端部材２７０に対するさらなる接続を容易にする。
【００２７】
図５は、一例による金属終端部材２７０の斜視図を示している。例えば、金属終端部材２７０は、プレス加工（ｓｔａｍｐｉｎｇ）によって形成された平坦なリボンコネクター２９４を備える。金属終端部材は、コイルばねに付着する第１端部２９６と、コネクター２９４をフィードスルーに付着させるための上面２９８とを有するＬ字形を備える。
【００２８】
図６は、一例による金属終端部材３００の斜視図を示している。例えば、金属終端部材３００は、プレス加工によって形成された平坦なリボンコネクター３０２を備える。金属終端部材３００は、コイルばね２８０を部分的に包囲するような寸法に形成されたカール部３０４を備える。金属終端部材３００は、真っ直ぐなリードアウト部３０５と、平坦な上部接続面３０６と、を備える。金属終端部材３００は、カール部３０４が孔２６２内に位置し、リードアウト部３０５はスロット２６６を通って延び、かつ、上部接続面３０６はプラスチックハウジング部２６０の外面２６３に対して同一平面上に存在するように、コネクターブロックプラスチックハウジング部２６０（図３）内に装着される。次に、コイルばね２８０がカール部３０４内に装着される。
【００２９】
上記で検討した金属終端部材２７０，３００の各々について、金属終端部材２７０，３００はコイルばね２８０のまわりを円周状に囲んでいないか、または半円状である。これにより、製造が容易になり、より低コストが可能となる。これまでのブロックコネクターは、ばねを円周方向に保持する案内溝を有する金属ハウジング内に装着された傾斜コイルばねを備えていた。そのような円周状の金属ハウジングの形成は、金属ハウジングの機械加工を必要とする。対照的に、コネクターブロック２９０のプラスチックハウジング部２６０は成形プラスチックから形成することができ、金属終端部材２７０，３００は金属プレス加工によって形成することができる。これらは比較的安価なプロセスであり、完全に円周状の金属部品を機械加工するよりも低コストの材料を用いる。
【００３０】
図７Ａは、一例によるコネクターブロックのプラスチックハウジング部３２０の斜視図を示している。プラスチックハウジング部３２０は成形プラスチック本体を備えることができ、コイルばね２８０および金属終端部材２７０，３００を受容するように構成された孔３２２、コイルばね受け部３２４、およびスロット３２６を備える。プラスチックハウジング部３２０は非平面状の外面３２８を備える。非平面状の外面３２８は、植込み型装置の電子配置またはフィードスルーの位置に応じて、金属終端部材にコネクターを付着させるためのより容易な接続面を提供するように構成された傾斜部３２９または他の形状を備える。
【００３１】
図７Ｂは、一例によるコネクターブロックのプラスチックハウジング部３４０の斜視図を示している。プラスチックハウジング部３４０は、成形プラスチック本体を備えることができ、コイルばね２８０および金属終端部材２７０，３００（図４）を受容するように構成された孔３４２、コイルばね受け部３４４、およびスロット３４６を備える。プラスチックハウジング部３４０は非平面状の外面３４７を備える。非平面状の外面３４７は突起３４８を備える。突起３４８は、金属終端部材２７０，３００に対して、突起３４８の向こう側に延びる配線からの電気的絶縁を提供することができる。
【００３２】
図８Ａは一例によるコネクターブロック３４９の斜視図を示しており、図８Ｂはコネクターブロック３４９の側断面図を示している。コネクターブロック３４９は、金属終端部材３５０と嵌合するような寸法に形成されたプラスチックハウジング部３６０と部分的に入れ子になった構造を備え、金属終端部材３５０およびプラスチックハウジング部３６０の双方はコイルばね２８０を保持する。金属終端部材３５０はステンレス鋼、ＭＰ３５Ｎまたは他の適当な金属材料から形成され得る。金属終端部材３５０は、コネクターをフィードスルーに付着させるための上面３６２を備える。
【００３３】
図９は一例によるコネクターブロック４００の分解斜視図を示しており、図１０はコネクターブロック４００の側面図を示している。
コネクターブロック４００は、金属ブロック４０４のような金属終端部材４０２を備える。金属ブロック４０４は、金属ブロック４０４が傾斜コイルばね４０６を包囲しないような部分ブロックを備える。金属ブロック４０４は、例えば半分のブロック、３／４のブロック、または１／４のブロックでありる。金属ブロック４０４はステンレス鋼、ＭＰ３５Ｎまたは他の適当な金属材料から成形によって形成される。金属ブロック４０４をコイルばね４０６のまわりにおいて非円周状のものとして形成することによって、金属ブロック４０４は、円周状のコネクターブロックに必要とされるように機械加工する代わりに、成形するか、または焼結させることができる。金属ブロック４０４は、コイルばね受け部４０８を含むアーチ形部４０７を備える。コイルばね受け領域４０８は溝４０９を備える。
【００３４】
コネクターブロック４００は、プラスチックヘッダコア４２０と一体に形成されたコイルばね受け部４１８を含むコネクターブロックプラスチックハウジング部４１６をさらに備える。コイル受け部４１８は溝４１９を備える。よって、プラスチックハウジング部４１６は、プラスチックヘッダコア４２０が成形されるときに、ヘッダコア４２０のコネクターブロックキャビティの一部として一体的に形成される。プラスチックハウジング部４１６は、コイルばね４０８および金属ブロック４０４と組み合ってそれらを受容することができる。金属ブロック４０４のコイルばね受け部４０８と、プラスチックハウジング部４１６のコイルばね受け部４１８とは、コイルばね４０６のための円周状の受け部を形成するように整合される。一例において、金属ブロック溝４０９は、プラスチックハウジング部溝４１９と整合されて、コイルばね４０６を受容する円周溝を画定する。金属ブロック４０４はプラスチックハウジング部４１６内に装着され、かつ、ヘッダコア４２０に付着される。コネクターの付着は、金属ブロック４０４の上側付着面４３０においてなされる。
【００３５】
図１１は、一例によるフィードスルー５１２に対するコネクターブロック５０２の接続部の側面図を示している。コネクターブロック５０２は、上記で検討したように、コネクターブロックプラスチックハウジング５０６およびコイルばね５０８を備える。金属終端部材５１０は、平坦なリボンコネクターを備え、コイルばね５０８に接続され、かつ、ハウジング１１０に内部で連絡するフィードスルー５１２に直接接続するように延在する。この構造は、金属終端部材とフィードスルー５１２との間にコネクターを溶着する必要をなくす。よって、単一の溶着は、２つの溶着接続と比較して、複雑さを低減し、かつ、信頼性を増大することができる。オーバーモールド５１４は、この例では、ヘッダコアを包封する。いくつかの実施形態では、予め成形されたヘッダを用いることができ、コネクターブロックを医療用粘着性封止材によって被覆することができる。
【００３６】
図１２は、一例による植込み型医療装置１００の斜視図を示している。植込み型医療装置１００は、ハウジング１１０に装着されたヘッダ１２０を備える。ヘッダ１２０はヘッダコア２２０を備えることができ、コネクターブロック２９０はヘッダコア２２０のコネクターブロックキャビティに装着されている。コネクターブロック２９０は、上記で検討したように形成され、かつ、ヘッダコア２２０に側面搭載され得る。本願で検討したコネクターブロックを有するヘッダの形成において、一例は、プラスチックコネクターブロックハウジング部をヘッダのコネクターブロックキャビティ内に配置することと、コネクターブロックハウジング部にコイルばねを配置することと、コイルばねに金属終端部材を接続し、金属終端部材をプラスチックハウジング部の外部に露出させるように配置することと、を含む。コネクターブロック２９０とハウジング１１０のフィードスルーとの間ですべての接続がなされた後、ヘッダコア２２０はエポキシオーバーモールド６０２によって包封される。
【００３７】
付記
上記の詳細な説明は、該詳細な説明の一部をなす添付図面への言及を含む。図面は、例証として、本発明が実施され得る特定の実施形態を示している。これらの実施形態はまた本願では「実施例」とも称される。そのような実施例は、示されているか、または記載されているものの他にも要素を含み得る。しかしながら、本発明者らはまた、示されているか、または記載されているそれらの要素のみが備えられた実施例も企図する。さらに、本発明者らはまた、本願に示されているか、または記載されている特定の実施例（またはその１つ以上の態様）、または他の実施例（またはその１つ以上の態様）のいずれかに関して、示されているか、または記載されているそれらの要素（またはその１つ以上の態様）の任意の組合せまたは順列を用いた実施例も企図する。
【００３８】
本文書において参照した全ての刊行物、特許および特許文献は、参照により個々に援用されるかのように、参照により余すところなく本願に援用される。本文書と、そのように参照により援用された文書との間で用法が一致しない場合には、援用された参考文献における用法は、本文書のそれに対する補足であると考えられるべきであり、相容れない矛盾については本文書における用法が支配する。
【００３９】
本文書において、用語「ａ」または「ａｎ」は、特許文献において共通であるように、「少なくとも１つ（ａｔ  ｌｅａｓｔ  ｏｎｅ）」または「１つ以上（ｏｎｅ  ｏｒ  ｍｏｒｅ）」の任意の他の例または用法とは無関係に、１つまたは２つ以上を含むように用いられる。この文書において、用語「または」は非排他的論理和を示すために用いられており、よって、別段の指示がない限り、「ＡまたはＢ」が、「ＡだがＢではない」、「ＢだがＡではない」、および「ＡおよびＢ」を含む。添付する請求項において、用語「備える（ｉｎｃｌｕｄｉｎｇ）」および「前記〜において（ｉｎ  ｗｈｉｃｈ）」は、「備える（ｃｏｍｐｒｉｓｉｎｇ）」および「前記〜において（ｗｈｅｒｅｉｎ）」という各用語の平易な英語の同意義として用いられる。また、以下の請求項において、用語「備える（ｉｎｃｌｕｄｉｎｇ）」および「備える（ｃｏｍｐｒｉｓｉｎｇ）」は非制限的であり、すなわち、請求項においてそのような用語の後に列記されたものの他にも要素を含むシステム、装置、物品またはプロセスは、依然としてその請求項の範囲内にあると見なされる。さらに、以下の請求項において、「第１」、「第２」、および「第３」などの用語は、単に標識として用いられており、それらの対象に対して数的な要件を課するようには意図されない。
【図１】
2016508829.tif 000003
【図２】
2016508829.tif 000004
【図３】
2016508829.tif 000005
【図４】
2016508829.tif 000006
【図５】
2016508829.tif 000007
【図６】
2016508829.tif 000008
【図７Ａ】
2016508829.tif 000009
【図７Ｂ】
2016508829.tif 000010
【図８Ａ】
2016508829.tif 000011
【図８Ｂ】
2016508829.tif 000012
【図９】
2016508829.tif 000013
【図１０】
2016508829.tif 000014
【図１１】
2016508829.tif 000015
【図１２】
2016508829.tif 000016
【国際調査報告】
2016508829.tif 000017
2016508829.tif 000018
2016508829.tif 000019